(57)【要約】【課題】運搬及び設置が一層容易になされる天井型空気調和機を提供する。【解決手段】樹脂で形成された本体と、金属からなり、所定長さを有して形成されて前記本体の上面に固定される固定ビームと、棒状に形成されており、上端は建物の天井に固定され、下端は前記固定ビームに設置される懸垂棒とを含んで天井型空気調和機を構成する。【選択図】図３
2008151497.tif 000002
【特許請求の範囲】
【請求項１】
樹脂で形成された本体と、金属からなり、所定長さを有して形成されて前記本体の上面に固定される固定ビームと、棒状に形成されており、上端は建物の天井に固定され、下端は前記固定ビームに設置される懸垂棒と、を含むことを特徴とする天井型空気調和機。
【請求項２】
前記固定ビームは、一対が備わり、互いに交差して配置されることを特徴とする請求項１に記載の天井型空気調和機。
【請求項３】
前記本体内には、回転しながら吸引力及び送風力を発生させる送風ファンと、前記送風ファンを回転させる駆動モータと、が配置されており、
前記駆動モータは、前記本体の上面を貫通して前記一対の固定ビームに締結される締結部材を通して前記本体の上面に設置されることを特徴とする請求項２に記載の天井型空気調和機。
【請求項４】
前記固定ビームの両端は、前記本体の側方に突出して延長され、前記懸垂棒の下端に連結されることを特徴とする請求項１に記載の天井型空気調和機。
【請求項５】
金属からなって前記本体の下部に固定設置され、その一端が前記本体の側方に突出される固定プレートと、金属からなり、上端は前記固定ビームの端に固定され、下端は前記固定プレートに固定される補助固定ビームと、をさらに含むことを特徴とする請求項４に記載の天井型空気調和機。
【請求項６】
前記本体内には、前記本体の内部を循環する空気と熱交換して空気を冷却させる蒸発器と、前記蒸発器で発生した凝縮水を受けて集めるドレインファンと、が配置されており、前記固定プレートは、前記ドレインファンの下面に固定されることを特徴とする請求項５に記載の天井型空気調和機。
【請求項７】
樹脂で形成された本体と、所定長さを有して形成されて前記本体の上面に固定され、両端が前記本体の側方に突出される固定ビームと、棒状に形成されており、上端は建物の天井に固定され、下端は突出された前記固定ビームの端に設置される懸垂棒と、金属からなり、前記本体の下部に固定設置され、その一端が前記本体の側方に突出される固定プレートと、金属からなり、上端は前記固定ビームの端に固定され、下端は前記固定プレートの端に固定される補助固定ビームと、をさらに含むことを特徴とする天井型空気調和機。
【請求項８】
前記固定ビームは、一対が備わり、互いに交差して配置されることを特徴とする請求項７に記載の天井型空気調和機。
【請求項９】
前記本体内には、回転しながら吸引力及び送風力を発生させる送風ファンと、前記送風ファンを回転させる駆動モータと、が配置されており、
前記駆動モータは、前記本体の上面を貫通して前記一対の固定ビームに締結される締結部材を通して前記本体の上面に設置されることを特徴とする請求項８に記載の天井型空気調和機。
【請求項１０】
前記本体内には、前記本体の内部を循環する空気と熱交換して空気を冷却させる蒸発器と、前記蒸発器で発生した凝縮水を受けて集めるドレインファンと、が配置されており、前記固定プレートは、前記ドレインファンの下面に固定されることを特徴とする請求項７に記載の天井型空気調和機。
【発明の詳細な説明】
【技術分野】
【０００１】
本発明は、天井型空気調和機に関するもので、より詳細には、建物の天井に吊るされて設置される天井型空気調和機に関するものである。
【背景技術】
【０００２】
一般的に、天井型空気調和機は、内部に冷凍サイクル構成要素を含み、室内空間を冷房または暖房できるようにした装置で、建物の天井に吊るされて設置されている。
【０００３】
従来の天井型空気調和機は、特許文献１に開示されたように、下面が開放された四角箱状の本体と、開放された本体の下面を覆う天井パネルとを含み、本体の内部には、回転しながら吸引力及び送風力を発生させ、室内の空気を本体の内部に循環させる送風ファンと、送風ファンによって本体の内部を循環する空気と熱交換して空気を冷却させる蒸発器とが含まれており、天井パネルの中央には、本体の内部に空気を吸入及び吐出させるために吸入グリルが設けられ、その外郭側には多数の吐出口が設けられる。
【特許文献１】大韓民国公開特許１０−２００３−００３５１６１号
【発明の開示】
【発明が解決しようとする課題】
【０００４】
しかしながら、上記のような天井型空気調和機は、本体が建物の天井に吊るされて設置されるので、本体に充分な強度を与えるために、鉄板からなる多様な部品をスクリューなどで締結して組み立てることで本体が形成されるが、このように鉄板からなる各部品を互いに組み立てて本体を形成する場合、本体の組立てに相当の時間が要されるだけでなく、重い重量によって運搬及び設置が困難であるという問題点がある。
【０００５】
本発明は、上述した従来技術の問題点を解決するためのもので、その目的は、運搬及び設置が一層容易になされる天井型空気調和機を提供することにある。
【課題を解決するための手段】
【０００６】
上記の目的を達成するための本発明に係る天井型空気調和機は、樹脂で形成された本体と、金属からなり、所定長さを有して形成されて前記本体の上面に固定される固定ビームと、棒状に形成されており、上端は建物の天井に固定され、下端は前記固定ビームに設置される懸垂棒とを含むことを特徴とする。
【０００７】
また、前記固定ビームは、一対が備わり、互いに交差して配置されることを特徴とする。
【０００８】
また、前記本体内には、回転しながら吸引力及び送風力を発生させる送風ファンと、前記送風ファンを回転させる駆動モータと、が配置されており、前記駆動モータは、前記本体の上面を貫通して前記一対の固定ビームに締結される締結部材を通して前記本体の上面に設置されることを特徴とする。
【０００９】
また、前記固定ビームの両端は、前記本体の側方に突出して延長され、前記懸垂棒の下端に連結されることを特徴とする。
【００１０】
また、金属からなって前記本体の下部に固定設置され、その一端が前記本体の側方に突出される固定プレートと、金属からなり、上端は前記固定ビームの端に固定され、下端は前記固定プレートに固定される補助固定ビームと、をさらに含むことを特徴とする。
【００１１】
また、前記本体内には、前記本体の内部を循環する空気と熱交換して空気を冷却させる蒸発器と、前記蒸発器で発生した凝縮水を受けて集めるドレインファンと、が配置されており、前記固定プレートは、前記ドレインファンの下面に固定されることを特徴とする。
【００１２】
また、本発明に係る天井型空気調和機は、樹脂で形成された本体と、金属からなり、所定長さを有して形成されて前記本体の上面に固定され、両端が前記本体の側方に突出される固定ビームと、棒状に形成されており、上端は建物の天井に固定され、下端は突出された前記固定ビームの端に設置される懸垂棒と、金属からなり、前記本体の下部に固定設置され、その一端が前記本体の側方に突出される固定プレートと、金属からなり、上端は前記固定ビームの端に固定され、下端は前記固定プレートの端に固定される補助固定ビームと、をさらに含むことを特徴とする。
【発明の効果】
【００１３】
本発明に係る天井型空気調和機は、本体が樹脂で形成されることで、その重量が大幅に低減されるので、天井型空気調和機の運搬及び設置が容易になされるという効果がある。
【００１４】
また、本発明に係る天井型空気調和機は、樹脂で形成された本体に固定ビームが設置されることで、固定ビームを通して天井型空気調和機の荷重が本体の多様な部位に分散されて作用されるので、樹脂からなって相対的に低い強度を有する本体を建物の天井に安定的に設置できるという効果がある。
【発明を実施するための最良の形態】
【００１５】
以下、本発明の好適な一実施例を、図面に基づいて詳細に説明する。
【００１６】
本発明に係る天井型空気調和機は、図１及び図２に示すように、天井に設けられた開口部を通して天井内に設置されたもので、下面が開放された四角箱状の本体１０と、開放された本体１０の下面を覆って本体１０の下面を形成する天井パネル２０とを備えている。
【００１７】
本体１０の内部には、本体１０の内部中央側に配置され、回転しながら吸引力及び送風力を発生させ、室内空気を本体１０の内部に循環させる送風ファン１１と、回転力を発生させて送風ファン１１を回転させる駆動モータ１２と、送風ファン１１の半径方向外側に配置されるもので、送風ファン１１から吐出された空気と熱交換して室内空気を冷却させる蒸発器１３と、蒸発器１３の下側に配置されるもので、蒸発器１３で発生した凝縮水を集めて外部に排出させるためのドレインファン１４と、内部に吸入された空気を送風ファン１１に案内するガイドダクト１５ａが中央に形成され、ドレインファン１４の中央に固定されるガイド部材１５とが配置されている。本実施例において、本体１０は、略四角箱状に形成されており、蒸発器１３は、本体１０の形状と対応して略四角環状に形成されて送風ファン１１の外側に配置されている。また、送風ファン１１は、軸方向に空気を吸入して半径方向外側に排出する遠心ファンからなり、天井パネル２０が設置された下側から空気を吸入して側方に吐出する構成となっている。
【００１８】
天井パネル２０の中央側には、室内空間から空気が貫通して吸入されるように、格子状に形成された吸入グリル２１が設けられており、天井パネル２０の吸入グリル２１の外郭側には、蒸発器１３によって冷却または加熱された空気を再び室内空間に吐出させるための吐出口２２が形成される。このとき、吸入グリル２１の内側には、吸入グリル２１を通して吸入された空気中の埃などの異物質をろ過するためのフィルタ２３が配置されており、吐出口２２には、吐出口２２を通して排出される空気の風向を調節するための風向調節羽根２４が配置される。
【００１９】
本発明に係る天井型空気調和機の本体１０は、運搬及び設置が容易になされるように、その外部が軽量な樹脂で形成されており、その内面には、断熱のために発泡ポリスチレンからなる断熱部材１６が接着剤によって付着されている。
【００２０】
本体１０は、プラスチックシートを加熱して容易に変形可能な状態にした後、真空成形を通して形成されるもので、このように本体１０を樹脂で形成すると、本体１０の強度は、鉄板で形成した場合に比べて相対的に低い。したがって、天井型空気調和機が本体１０を通して建物の天井に直接吊るされて設置されると、本体１０の特定部位に天井型空気調和機の荷重が集中されるので、本体１０に損傷が発生する恐れがある。
【００２１】
したがって、天井型空気調和機の荷重が特定の部位に集中されず、本体１０の多様な部位に分散されるように、本発明に係る天井型空気調和機には、金属からなり、所定長さを有して形成されて本体１０の上面に固定される固定ビーム３０と、上端は建物の天井に固定され、下端は前記固定ビーム３０に設置されることで、本体１０が建物の天井に吊るされて設置されるようにする懸垂棒４０とが備わっている。
【００２２】
このとき、固定ビーム３０の両端は、本体２０の側方に突出して延長されており、懸垂棒４０は、本体１０の側方に突出した固定ビーム３０の両端にそれぞれ設置される。本実施例では、図３に示すように、一対の固定ビーム３０が互いに交差して設置され、その端が四角箱状に形成された本体１０の四隅部側に突出されているので、懸垂棒４０は、４個備わり、本体１０の四隅部側に突出された固定ビーム３０の端にそれぞれ設置される。また、天井型空気調和機を建物の天井に設置する作業者が本体１０の水平を合わせるように、各懸垂棒４０の下端には係止ナット４１が締結されており、固定ビーム３０の端には、係止ナット４１が係止される係止溝３０ａが凹状に設けられている。
【００２３】
上述した駆動モータ１２は、本体１０の上面を貫通して固定ビーム３０に締結される締結部材３１，３２を通して本体１０の上面に固定される。本実施例において、締結部材３１，３２は、固定ボルト３１と固定ナット３２からなり、駆動モータ１２には、固定ボルト３１が貫通して設置される締結部１２ａが設けられている。また、本体１０の内部上面と締結部１２ａとの間には、駆動モータ１２から発生した振動を減衰させるための防振ゴム３３が介在されている。したがって、固定ボルト３１が駆動モータ１２の締結部１２ａ、防振ゴム３３、本体１０の上面、固定ビーム３０を順に貫通して上側に突出された状態で、固定ボルト３１の突出部位に固定ナット３２を固定することで、駆動モータ１２と固定ビーム３０を同時に本体１０の上面に固定することができる。
【００２４】
また、上記のような天井型空気調和機の荷重が本体１０の上面のみならず、本体１０の下面にも分散されて作用されるように、本体１０には、金属からなって本体１０の下部に固定され、その一端が本体１０の側方に突出された固定プレート３４と、金属からなり、上端は前記固定ビーム３０の端に固定され、下端は本体１０の側方に突出された固定プレート３４の一端に固定される補助固定ビーム３５が備わっている。本実施例において、固定プレート３４は、４個が備わり、図２に示すように、ドレインファン１４下面の四隅部位にそれぞれ固定され、補助固定ビーム３５は、本体１０側面の四隅部位にそれぞれ配置される。
【００２５】
したがって、天井型空気調和機の荷重は、図４に示すように、固定ビーム３０を通して本体１０の上面に分散されるだけでなく、補助固定ビーム３５と固定プレート３４を通して本体１０の下面にも分散される。したがって、鉄板よりも相対的に低い強度を有する樹脂で本体１０を構成した場合も、天井型空気調和機の荷重は、固定ビーム３０、固定プレート３４及び補助固定ビーム３５を通して本体１０の上部及び下部に分散されて作用されるので、樹脂からなって低い強度を有する本体１０を通しても、天井型空気調和機が建物の天井に安定的に吊るされて設置されるようになる。
【図面の簡単な説明】
【００２６】
【図１】本発明に係る天井型空気調和機の内部構造を概略的に示した断面図である。
【図２】本発明に係る天井型空気調和機の分解斜視図である。
【図３】本発明に係る天井型空気調和機における固定ビーム及び駆動モータを示した分解斜視図である。
【図４】本発明に係る天井型空気調和機において、本体が建物の天井に吊るされて設置された状態を示した断面図である。
【符号の説明】
【００２７】
１０  本体
１１  送風ファン
１２  駆動モータ
１３  蒸発器
１４  ドレインファン
１５  ガイド部材
１６  断熱部材
２０  天井パネル
３０  固定ビーム
３１  固定ボルト
３２  固定ナット
３３  防振部材
３４  固定プレート
３５  補助固定ビーム
４０  懸垂棒
４１  係止ナット
【図１】
2008151497.tif 000003
【図２】
2008151497.tif 000004
【図３】
2008151497.tif 000005
【図４】
2008151497.tif 000006